(57)【要約】      （修正有）【課題】薪ストーブの開口部の開口状態でも室内に煙が放散されず、しかも、該開口部を他用途に使用する場合でも薪の供給及び火力調整が容易であること、および、開口部を調理に使用した際に排煙処理のできる薪ストーブを提供する。【解決手段】炉体３の上部前方に開閉蓋５を被蓋する傾斜開口部４を設け、傾斜開口部４に隣接して炉体３に吸引排煙室７を設ける。さらに、前記傾斜開口部４の反対側に開閉自在な扉１４を設け、傾斜開口部４の下方直近と扉１４の中央部に一次空気吸入手段１２を設け、吸引排煙室７の側方に二次空気吸入手段１５を設ける。さらに、すす取り体１１の上部に排煙体を設ける。【選択図】図１
0003161297.tif 000002
【実用新案登録請求の範囲】
【請求項１】
適宜な脚を有して燃焼室を構成する炉体の上部前方に開閉蓋を設け、上部後方には排煙筒を設け、炉体の胴部に開口された炉口に開閉自在な扉を設け、該扉に一次空気吸入手段を設け、前記胴部に二次空気吸入手段を設け、前記一次空気吸入手段が、前記扉の中央部で上向きに接合した吸気筒と、該吸気筒の上端に設けた軸受部の周囲に開口される半円状の開口部とからなる空気吸入部と、該軸受部に軸支された支軸に回動自在に軸着され、前記開口部に重畳されて該開口部に連通する半円状の開口部と、前記開口部に連通する小孔を多数配設した小口開口部とを設けた火片飛散防止盤と、該火片飛散防止盤に重畳されて前記支軸に回動自在に軸着される半円状の閉塞部と、半円状の開口部と、該開口部の周縁に立設した該開口部に見合うバランスウェイトとからなる空気吸入量調整盤とから成り、前記排煙筒にその頂部に煙突接続筒が立設され、中間部にすす取りケースを設けたすす取り体が接続されて成る薪ストーブにおいて、
前記開閉蓋が、炉体の上部前方から後方に向けて所要の上り勾配の傾斜開口部に開閉自在に被蓋され、炉体の上部後方には該傾斜開口部に隣接して輪郭台形状の吸引排煙室が立設され、前記すす取り体が該吸引排煙室の天板に立設した排煙筒に接続されるとともに、該天板に設けた開口部に蓋が設けられ、前記扉が前記開閉蓋と反対側の胴部に設けられ、前記二次空気吸入手段が、吸引排煙室の側方で上向きに接合した吸気筒と、該吸気筒の上端に設けた軸受部の周囲に開口される半円状の開口部とからなる空気吸入部と、該開口部に重畳されて該軸受部に軸支された支軸に回動自在に軸支された半円状の閉塞部と、半円状の開口部と、該開口部の周縁に立設した該開口部に見合うバランスウェイトとからなる空気吸入量調整盤とから成り、前記傾斜開口部からのぞかれる胴部内周面に沿って載置座が周設され、かつ、該傾斜開口部の開口始端の下方直近に前記一次空気吸入手段が配設されて成る薪ストーブ。
【請求項２】
前記煙突接続筒に外嵌され、周縁に所要数の吸気口を開口した内管と、該吸気口を包蔵するように該内管に吸引流路を形成して外嵌され、下端に吸煙口を開口した外管とから成る二重管と、該二重管の上方で前記内管に内嵌接続される接続筒と、該二重管の下方で前記吸煙口の上部で傾斜開口部を覆う広さで前記外管に一体に接続されるフードとから成る排煙体が接続されて成る請求項１記載の薪ストーブ。
【考案の詳細な説明】
【技術分野】
【０００１】
本考案は、薪を燃料として暖房する薪ストーブに関し、排煙処理技術によって暖房中の燃焼熱を調理や熱交換に簡便に利用できる暖房技術に属する。
【背景技術】
【０００２】
薪ストーブとして、その燃焼熱を利用して発電したり、魚焼きしたり、暖房以外の用途にも対応できる技術は、特開２００７−１７０７３０号公報（特許文献１）や特開平８−３３４２３０号公報（特許文献２）等種々提案されているが、薪ストーブに備えられる燃焼のための基本的な構造、例えば薪を投入する開口部等を利用して各個の機能品を後付けで組み込み、多用途に対応できる薪ストーブは未提案の現状である。その上、多用途に使用時の開口部からの煙の放散を抑える技術も未提案の状況である。
ところで、本願出願人は先に実用新案登録第３１４２３７５号公報（特許文献３）に開示された薪ストーブにつき実用新案権を取得したものであるが、その考案は主として燃焼中の火の粉（火片）の爆ぜ対策と、広範な自由度で一次空気を吸入でき、炉体周辺の高温の二次空気を取り入れて燃焼効率を高め、すす取り機能によって黒煙の出ないきれいな排煙処理ができる、とするものであるが、炉体に対して開閉蓋が水平状態で開閉されることと、一次空気吸入手段の設けられる扉が炉体の開閉蓋のある側に設けられるため、開閉蓋を開いてその開口部で薪ストーブの燃焼熱を利用する場合、焚き口が狭くなる上、開口部からの後付け器具の取付け、取外し時に煙の吸引が弱まり、室内への煙が放散される状況となる未解決課題が内在していた。
【先行技術文献】
【特許文献】
【０００３】
【特許文献１】特開２００７−１７０７３０号公報
【特許文献２】特開平８−３３４２３０号公報
【特許文献３】実用新案登録第３１４２３７５号公報
【考案の概要】
【考案が解決しようとする課題】
【０００４】
本考案は上記に鑑みて、前記開口部の開口状態でも室内に煙が放散されず、しかも、開口部を他用途に使用する場合でも薪の供給及び火力調整が容易である薪ストーブの提供をその目的とするものである。
【課題を解決するための手段】
【０００５】
本考案の請求項１に記載した薪ストーブは、適宜な脚を有して燃焼室を構成する炉体の上部前方に開閉蓋を設け、上部後方には排煙筒を設け、炉体の胴部に開口された炉口に開閉自在な扉を設け、該扉に一次空気吸入手段を設け、前記胴部に二次空気吸入手段を設け、前記一次空気吸入手段が、前記扉の中央部で上向きに接合した吸気筒と、該吸気筒の上端に設けた軸受部の周囲に開口される半円状の開口部とからなる空気吸入部と、該軸受部に軸支された支軸に回動自在に軸着され、前記開口部に重畳されて該開口部に連通する半円状の開口部と、前記開口部に連通する小孔を多数配設した小口開口部とを設けた火片飛散防止盤と、該火片飛散防止盤に重畳されて前記支軸に回動自在に軸着される半円状の閉塞部と、半円状の開口部と、該開口部の周縁に立設した該開口部に見合うバランスウェイトとからなる空気吸入量調整盤とから成り、前記排煙筒にその頂部に煙突接続筒が立設され、中間部にすす取りケースを設けたすす取り体が接続されて成る薪ストーブにおいて、
前記開閉蓋が、炉体の上部前方から後方に向けて所要の上り勾配の傾斜開口部に開閉自在に被蓋され、炉体の上部後方には該傾斜開口部に隣接して輪郭台形状の吸引排煙室が立設され、前記すす取り体が該吸引排煙室の天板に立設した排煙筒に接続されるとともに、該天板に設けた開口部に蓋が設けられ、前記扉が前記開閉蓋と反対側の胴部に設けられ、前記二次空気吸入手段が、吸引排煙室の側方で上向きに接合した吸気筒と、該吸気筒の上端に設けた軸受部の周囲に開口される半円状の開口部とからなる空気吸入部と、該開口部に重畳されて該軸受部に軸支された支軸に回動自在に軸支された半円状の閉塞部と、半円状の開口部と、該開口部の周縁に立設した該開口部に見合うバランスウェイトとからなる空気吸入量調整盤とから成り、前記傾斜開口部からのぞかれる胴部内周面に沿って載置座が周設され、かつ、該傾斜開口部の開口始端の下方直近に前記一次空気吸入手段が配設されて成る。
本考案の請求項２に記載した薪ストーブは、請求項１に記載した薪ストーブにおいて、
前記煙突接続筒に外嵌され、周縁に所要数の吸気口を開口した内管と、該吸気口を包蔵するように該内管に吸引流路を形成して外嵌され、下端に吸煙口を開口した外管とから成る二重管と、該二重管の上方で前記内管に内嵌接続される接続筒と、該二重管の下方で前記吸煙口の上部で傾斜開口部を覆う広さで前記外管に一体に接続されるフードとから成る排煙体が接続されて成る。
【考案の効果】
【０００６】
本考案によれば、傾斜開口部によってこれに被蓋される開閉蓋を開けても、熱対流域の傾斜面に沿って煙が吸引排煙室内に誘導されるから排煙が室内に分散されず、該傾斜開口部を使用する場合でも煙に邪魔されることなく、燃焼熱を暖房以外の各種調理や熱交換に利用できるものであり、しかも、焚き口がもう一個反対側にあるから火力の維持調節が容易である上、二次空気の取り入れが吸引排煙室で行われるので完全燃焼が図られきれいな排煙が達成される。
請求項２に記載した薪ストーブでは、調理中の煙も格別な電動ファンを使用することなく対流熱の吸引作用で排煙処理される効果がある。
【図面の簡単な説明】
【０００７】
【図１】本考案の薪ストーブＡの説明図で、（ａ）はその一側面図、（ｂ）は扉14の他側面図。
【図２】載置座16の炉体内の平面図。
【図３】一次空気吸入手段の構成説明図で、（ａ）は空気吸入部26の正面図、（ｂ）は（ａ）の中央縦断面図に締結手段を付加した説明図。（ｃ）は火片飛散防止盤27の正面図、（ｄ）は（ｃ）の縦断面図。（ｅ）は空気吸入量調整盤28の正面図、（ｆ）は（ｅ）の縦断面図。
【図４】傾斜開口部４に蒸し器32を設けた場合の部分説明図。
【図５】傾斜開口部４と吸引排煙室７の開口部９に熱交換手段を設けた説明図。
【図６】熱板37の説明図で、（ａ）はその平面図、（ｂ）は（ａ）の右側面図。
【図７】傾斜開口部４で使用される魚焼き器33の説明図で、（ａ）はその正面図、（ｂ）は（ａ）の右側面図。
【図８】傾斜開口部４で使用される熱板37上で用いられる蒸し焼き器38の説明図で、（ａ）はその正面図、（ｂ）は（ａ）の右側面図。
【図９】排煙体25の一部を破断した説明図。
【考案を実施するための形態】
【０００８】
本考案の薪ストーブＡ、Ｂの傾斜開口部４に被蓋される開閉蓋５は、傾斜開口部４を使用する場合、炉体３から取り外されるものから隣接の吸引排煙室７の外壁に接合手段を介して着脱自在に保持するものなどであり、また、傾斜開口部４の反対側に設ける扉14は、傾斜開口部４の胴部を除けばその炉体３の胴部の下方であれば任意の取付け位置が許容される。
このほか、扉14の下方には灰や火片の床への落下を防止する灰受け皿17を設けたり、オーブンとして使用する熱板37や開閉蓋５を保持するポケット18を設けるなどである。
【実施例】
【０００９】
本考案の薪ストーブＡを実施例により説明すると、図１に示すように、高さ略160mmの４本の脚１を有して平面視長円形の燃焼室２を構成する炉体３の上部前方に、前端から後方に向けて所要の上り勾配の傾斜開口部４を開口し、傾斜開口部４に開閉蓋５を後方で軸支される水平支軸６を介して開閉自在に被蓋し、傾斜開口部４に隣接して縦輪郭台形状の吸引排煙室７が立設され、吸引排煙室７の天板には排煙筒８を立設するとともに開口部９を設けて開口部９に蓋10が被せられ、排煙筒８にはすす取り体11がその下面に垂下した接続筒11aにおいて外嵌接続され、すす取り体11には取っ手11bを有するすす取りケース11cが出入自在に取着され、頂部には煙突接続筒11dが立設されて成り、前記傾斜開口部４の開口始端の下方直近に一次空気吸入手段12を配設し、傾斜開口部４と反対側の炉体３の胴部に開口された炉口13には扉14が開閉自在に設けられ、扉14にも一次空気吸入手段12が設けられ、吸引排煙室７の排煙筒８と反対側の側方には二次空気吸入手段15が設けられ、傾斜開口部４からのぞかれる胴部内周面には図２に示すように該内周面に沿って載置座16が内設されて成る。このほか、扉14の下方には灰や火片を受けるための灰受け皿17が設けられ、炉体３の側方には傾斜開口部４から外した開閉蓋５や吸引排煙室７の開口部９から外した蓋10などを一時的に保管する仮想線で示すポケット18なども設けられる。
【００１０】
次に、他の実施形態としての薪ストーブＢをその要部において説明すると、図９に示すように、すす取り体11の頂部に立設した煙突接続筒11dに、周縁に所要数の吸気口19aを開口した内管19と、吸気口19aを包蔵するように所要の吸引流路20を配して内管19に外嵌され下端に吸煙口21aを開口した外管21とからなる二重管22が、その内管19において外嵌され、二重管22の上方には内嵌19に対して煙突を接続するための接続筒23が内嵌接続され、二重管22の下方では吸煙口21aの上部に炉体３の傾斜開口部４を覆う広さのフード24が一体に接続された排煙体25を前記薪ストーブＡに設けて提供される。
【００１１】
ここで、一次空気吸入手段12及び二次空気吸入手段15について説明すると、一次空気吸入手段12は図３に示すように、空気吸入部26と火片飛散防止盤27と空気吸入量調整盤28とから成り、二次空気吸入手段15は空気吸入部26と空気吸入量調整盤28とから成る。
一次空気吸入手段12をさらに詳述すると、空気吸入部26は分図（ａ）、（ｂ）に示すように、胴部や扉14の中央部で上向きに接合した吸気筒26aと、吸気筒26aの上端に内設される半円状の軸受板26bと、軸受板26bの周囲に開口される半円状の開口部26cと、軸受板26bの中心に開口された挿通孔26dに挿通されるネジ軸である支軸26eと、締結用のナット26fと、軸端に螺着される袋ナット26gとから成り、前記軸受板26bに重畳され支軸26eで回動自在に軸支される火片飛散防止盤27は、分図（ｃ）、（ｄ）に示すように、半円状の開口部27aと、直径10mmの小孔27bが多数設けられた小孔開口部27cと、開口部27aの上方で外周縁の左右の突片27dに設けた係着孔27eとから成り、さらに、前記小孔開口部27cの中心の支軸26eに軸支され小孔開口部27cに重畳される空気吸入量調整盤28は、分図（ｅ）、（ｆ）に示すように、半円状の開口部28aと、半円状の閉塞部28bと、開口部28aの周縁に周設されるバランスウェイト28c（開口部28aの除去分に相当する重量）とから成り、支軸26eの突端には図３（ｂ）示したナット26fと袋ナット26gとがダブルナット状に螺設され各個が回動自在に調節されて抜け止めされて成る。
上記構成から成る一次空気吸入手段12は、空気吸入部26に対して火片飛散防止盤27の開口部27aや小孔開口部27cを選択して通気量を調整するとともに、空気吸入部26の開口部26cの全面に該小孔開口部27cを重畳すれば、通気状態を確保しながら火片の飛散を防止できるものであり、前記空気吸入部26と火片飛散防止盤27との関係に対して空気吸入量調整盤28の閉塞部28bによって最終的に吸入空気量が調整される。
前記の火片飛散防止盤27を除いたものが二次空気吸入手段15であり、空気吸入部26の開口部26cに対する空気吸入量調整盤28の閉塞部28bの対応度によて吸入空気量が調整される。
【００１２】
このようにして成る薪ストーブＡは、開閉蓋５を開けて傾斜開口部４から丸太状の薪が燃焼室２にくべられ、また、状況によっては扉14を開けて細めの薪がくべられたり、火床の燃焼具合などが調節され、しかも、炉体３の前後から一次空気吸入手段12により火力が調整される上、吸引排煙室７の側方での二次空気吸入手段15によって完全燃焼が図られる。このような燃焼によって分厚い鋼板が熱せられ、この鋼板の保熱による輻射熱によってやわらかい暖房が提供されるとともに、おき状の火片は調理に利用される。
【００１３】
ここで、薪ストーブＡにおける調理形態について説明すると、図４に示したものは、図２に示す載置座16に平面視半月状で所要高さのタンク29が載置され、タンク29の底部には水を張った上面に所要高さの脚30に支えられた蒸し皿31が置かれ、タンク29の上面には適宜に提供される蓋（図外）が被蓋されて蒸し器32となり、炉体３の燃焼室２に残される火片の熱によって蒸し皿31上で蒸し物が調理される。また、図７に示した魚焼き器33は、前部脚34と後部脚35が図２に示す載置座16に係着され、その上部のすのこ状の焼き座36に魚を置いて火片の遠赤外線を伴う熱で魚をこんがりと調理できる。このものは、魚焼きのほか、焼きいもや餅焼きなどにも利用できる。
さらに、図６に示す熱板37は傾斜開口部４から挿入され、図２に示す載置座16に載置され、熱板37にはピザパイが置かれ前記の熱源でこんがりと焼かれ、適宜なヘラ（図外）で取り込まれる。図８に示した蒸し焼き器38は、下面のみを開口したドーム状で頂面に取っ手38aを設けたもので、熱板37に置かれた焼き物に覆い被せて蒸し焼きに使用される。
【００１４】
このほか、図５に示すように、熱交換利用の形態としては、傾斜開口部４から挿入されたタンク29を載置座16に載置し、吸引排煙室７の天板の開口部９から蓋10を外して開口部９に予熱釜39を入れ、予熱釜39に設けたオーバーフロー管40をタンク29へ挿入し、予熱釜39の給水管41から給水された水は燃焼室２の熱で予熱釜39で温水となり、この温水がオーバーフロー管40でタンク29へ送られ、タンク29内の温水は載置座16の下方の火力によってさらに温められ、適宜なホース（図外）で洗い湯や浴室用の補給湯、床暖房用等として利用される。
なお、調理時では傾斜開口部４が開口状態であるが、熱対流がこの傾斜に沿って発現するため、煙は隣接する吸引排煙室７の方向へ吸引され室内が煙で充満されることはない。頻繁に調理する場合には、すす取り体11の上方に前記した排煙体25を設ければ、調理中の煙はフード24によって二重管22の吸煙口21aより煙突（図外）へ排煙されて外気に放出される。また、調理時には傾斜開口部４からの薪の投入ができないが、扉14を開けて薪をくべることができるので調理時の火力を維持できる。調理時の薪の供給と火力調整とを容易とすること、傾斜開口部４と傾斜開口部４に隣接する吸引排煙室７との協働により、室内への煙の放散を抑えたことが本考案の特徴である。
【産業上の利用可能性】
【００１５】
本考案の薪ストーブによれば、大きな丸太状の薪が投入される部位が傾斜開口部であるため、開閉蓋を開けてもその傾斜面に沿う対流熱で煙は該傾斜開口部に隣接する吸引排煙室に吸引されるから煙は室内に分散されることなく、調理中でも煙に邪魔されることなく、かつ、電気、ガス等のエネルギーを要することなく、快適な暖房環境下で燃焼熱の有効利用が図られ、その上、調理や熱交換に使用中でも火力の維持調節ができるから、きめ細かなエネルギー消費削減の図られる技術として各家庭では勿論のこと、事業所、工場などからの需要も期待されるほか、暖房器具製造業界の活性化にも資するものである。
【符号の説明】
【００１６】
１：脚
２：燃焼室
３：炉体
４：傾斜開口部
５：開閉蓋
６：水平支軸
７：吸引排煙室
８：排煙筒
９：開口部
10：蓋
11：すす取り体
11a：接続筒
11b：取っ手
11c：すす取りケース
11d：煙突接続筒
12：一次空気吸入手段
13：炉口
14：扉
15：二次空気吸入手段
16：載置座
17：灰受け皿
18：ポケット
19：内管
19a：吸気口
20：吸引流路
21：外管
21a：吸煙口
22：二重管
23：接続筒
24：フード
25：排煙体
26：空気吸入部
26a：吸気筒
26b：軸受板
26c：開口部
26d：挿通孔
26e：支軸
26f：ナット
26g：袋ナット
27：火片飛散防止盤
27a：開口部
27b：小孔
27c：小孔開口部
27d：突片
27e：係着孔
28：空気吸入量調整盤
28a：開口部
28b：閉塞部
28c：バランスウェイト
29：タンク
30：脚
31：蒸し皿
32：蒸し器
33：魚焼き器
34：前部脚
35：後部脚
36：焼き面
37：熱板
38：蒸し焼き器
38a：取っ手
39：予熱釜
40：オーバーフロー管
41：給水管
Ａ、Ｂ：薪ストーブ
【図１】
0003161297.tif 000003
【図２】
0003161297.tif 000004
【図３】
0003161297.tif 000005
【図４】
0003161297.tif 000006
【図５】
0003161297.tif 000007
【図６】
0003161297.tif 000008
【図７】
0003161297.tif 000009
【図８】
0003161297.tif 000010
【図９】
0003161297.tif 000011
【手続補正書】
【提出日】平成22年5月24日(2010.5.24)
【手続補正１】
【補正対象書類名】実用新案登録請求の範囲
【補正対象項目名】請求項１
【補正方法】変更
【補正の内容】
【請求項１】
適宜な脚を有して燃焼室を構成する炉体の上部前方に開閉蓋を設け、上部後方には排煙筒を設け、炉体の胴部に開口された炉口に開閉自在な扉を設け、該扉に一次空気吸入手段を設け、前記胴部に二次空気吸入手段を設け、前記一次空気吸入手段が、前記扉の中央部で上向きに接合した吸気筒（26a）と、該吸気筒（26a）の上端に設けた軸受部の周囲に開口される半円状の開口部（26c）とからなる空気吸入部（26）と、該軸受部に軸支された支軸（26e）に回動自在に軸着され、前記開口部（26c）に重畳されて該開口部（26c）に連通する半円状の開口部（27a）と、前記開口部（26c）に連通する小孔（27b）を多数配設した小孔開口部（27c）とを設けた火片飛散防止盤（27）と、該火片飛散防止盤（27）に重畳されて前記支軸（26e）に回動自在に軸着される半円状の閉塞部（28b）と、半円状の開口部（28a）と、該開口部（28a）の周縁に立設した該開口部（28a）に見合うバランスウェイト（28c）とからなる空気吸入量調整盤（28）とから成り、前記排煙筒にその頂部に煙突接続筒が立設され、中間部にすす取りケースを設けたすす取り体が接続されて成る薪ストーブにおいて、
前記開閉蓋が、炉体の上部前方から後方に向けて所要の上り勾配の傾斜開口部に開閉自在に被蓋され、炉体の上部後方には該傾斜開口部に隣接して輪郭台形状の吸引排煙室が立設され、前記すす取り体が該吸引排煙室の天板に立設した排煙筒に接続されるとともに、該天板に設けた開口部（9）に蓋（10）が設けられ、前記扉が前記開閉蓋と反対側の胴部に設けられ、前記二次空気吸入手段が、吸引排煙室の側方で上向きに接合した吸気筒（26a）と、該吸気筒（26a）の上端に設けた軸受部の周囲に開口される半円状の開口部（26c）とからなる空気吸入部（26）と、該開口部（26c）に重畳されて該軸受部に軸支された支軸（26e）に回動自在に軸支された半円状の閉塞部（28b）と、半円状の開口部（28a）と、該開口部（28a）の周縁に立設した該開口部（28a）に見合うバランスウェイト（28c）とからなる空気吸入量調整盤（28）とからなり、前記傾斜開口部からのぞかれる胴部内周面に沿って載置座が周設され、かつ、該傾斜開口部の開口始端の下方直近に前記一次空気吸入手段が配設されて成る薪ストーブ。